(57)【要約】【課題】  可搬携帯型で、小型、軽量でもあって、被測長点と非接触で精度の良い測長が可能とされる測長具を提供する。【解決手段】  長さ標示部（１１）を有する尺物体（１）にスライド可能とされた可動測長点部（１４）を備えた測長具において、光源部（２）と共に、測長開始点部（１３）と可動測長点部（１４）には反射ミラー（３）およびハーフミラー（４）の各々いずれかが配設され、光源部（２）からの光が平行光として被測長点（Ａ１）（Ａ２）を照射して、非接触で被測長点間を測長（Ｌ0）可能とする。【選択図】図１
2007206001.tif 000002
【特許請求の範囲】
【請求項１】
長さ標示部を有する尺物体にスライド可能とされた可動測長点部を備えた測長具において、光源部と共に、測長開始点部と可動測長点部には反射ミラーとハーフミラーの各々いずれか一方が配設され、光源部からの光がミラーとハーフミラーとを介して平行光として被測長点を光照射して、非接触で被測長点間を測長可能としたことを特徴とする光測長具。
【請求項２】
光源部は、レーザー光源またはＬＥＤ光源をもって構成されていることを特徴としている請求項１の光測長具。
【請求項３】
尺物体の把持部に設けた操作部により、可動測長点部を滑尺スライド自在とさせたことを特徴とする請求項１または２の光測長具。
【発明の詳細な説明】
【技術分野】
【０００１】
本発明は、非接触で簡便に測長可能とした携帯型の光測長具に関するものである。
【背景技術】
【０００２】
従来より、可搬携帯型の測長具としては、各種の物差しとともに、たとえば「ノギス」の呼称のもとに普及している測長具が知られている。この「ノギス」は、長さ標示部を有する尺物体に、スライドと停止を可能とした可動測長点部を備えており、可動測長点部をスライドさせながら被測長点に接触させ、この時点で可動測長点部を停止させて、被測長点から離接後に長さを読取ることができる。このため、通常の物差しのように、被測長点への接触状態で標示目盛りを「その場」で読取る必要がないことから、比較的正確で、精度の良い測長が可能であるという特長を有している。しかも、小型で軽量でもある。
【０００３】
しかしながら、この「ノギス」の場合でも、測長時には上記のように被測長点との接触が欠かせないという制約がある。
【０００４】
広範囲な産業分野において、物差しや「ノギス」を当てられない部位がある。たとえば、凹部や奥まった部位等においては、このため、どうしても非接触での測長が必要とされている。また、医療の分野においても、病変の大きさや、創症の大きさ、手術中に触れてはならないものなどの長さを非接触で測ることが必要となる。
【０００５】
非接触での測長のための手段として、レーザー等の光を用いたものが各種開発されているが、これら従来のものはいずれも大掛りであったり、複雑な操作を必要としており、携帯型で簡便に使用できるものではない。たとえば巻尺方式の物差しにレーザ測距機構を具備した装置が提案されている（特許文献１）が、このものは、レーザ光の到達時間から測距するために反射光の受光を必須とし、しかも検尺のための接触式の物差しが欠かせないものとなっている。とても実用性のあるものとは言えないのが実情である。
【０００６】
このため、従来の「ノギス」のように、比較的正確で精度のよい測長ができ、しかも可搬携帯型で小型、軽量で、利便性にも優れているという特長を有しているとともに、被測長点と非接触での測長が可能な、新しい測長具の実現が強く望まれていた。
【特許文献１】特開２００４−２３３１０６号公報
【発明の開示】
【発明が解決しようとする課題】
【０００７】
本発明は、以上のような背景から、従来の問題点を解消し、可搬携帯型で、かつ、小型、軽量でもあって、被測長点と非接触で精度の良い測長が可能とされる新しい測長具を提供することを課題としている。
【課題を解決するための手段】
【０００８】
本発明は、上記の課題を解決するものとして、以下の特徴を有する光測長具を提供する。
【０００９】
すなわち、第１には、長さ標示部を有する尺物体にスライド可能とされた可動測長点部を備えた測長具において、光源部と共に、測長開始点部と可動測長点部には、反射ミラーとハーフミラーの各々いずれか一方が配設され、光源部からの光がミラーとハーフミラーとを介して平行光として被測長点を光照射して、非接触で被測長点間を測長可能としたことを特徴としている。
【００１０】
また、第２には、上記の光測長具の光源部は、レーザー光源またはＬＥＤ光源により構成されていることを特徴としている。
【００１１】
そして、第３には、尺物体の把持部に設けた操作部により可動測長点部を滑尺スライド自在とさせたことを特徴としている。
【発明の効果】
【００１２】
本発明の上記第１の光測長具によれば、可搬携帯型で、かつ、小型、軽量でもあって、しかもミラーとハーフミラーの使用により一つの光源からの光照射で、被測長点と非接触で精度の良い測長が可能とされる。このため、各種の産業分野において、たとえば凹部や、鏡面加工面等の非接触での測長が求められる場合や、あるいは医療の分野において、病変の大きさや創傷の大きさ、手術中に触れることのできないものの長さ測定を非接触で行う必要がある場合に、簡便に、しかも精度の良い測長が可能となる。
【００１３】
また、光の指向性の大きいレーザーやＬＥＤを光源とする上記第２の光測長具によれば、被測長点をピンポイントで光照射できるので、測長操作により容易となり、その精度もより向上することになる。
【００１４】
さらに第３の光測長具によれば手操作で、簡便に、スムーズな可動測長点部のスライド移動と停止操作が可能とされる。
【発明を実施するための最良の形態】
【００１５】
本発明は上記のとおりの特徴をもつものであるが、以下にその実施の形態について説明する。
【００１６】
本発明の光測長具については、その構造として、可搬携帯型であって、手操作によって測定、計測が可能とされている。このような構造上の特徴は様々な細部の構成として実現されてよい。
【００１７】
たとえば、図１は、従来より知られているノギス構造をベースとして本発明の光測長具を構成した例を示している。この例においては、長さ標示部（１１）、すなわち目盛りを有する尺物体（１）は、把持部（１２）を有し、この把持部には、光源部（２）とそのスイッチ操作部（２１）とが配置されている。そして尺物体（１）には、位置固定された測長開始点部（１３）とスライド可能とされた可動測長点部（１４）が備えられている。可動測長点部（１４）は、この例においては滑尺機構によって、把持部（２１）のダイヤル操作部（１５）を回動操作することで滑尺スライドと停止が可能とされている。
【００１８】
また、上記の例では、測長開始点部（１３）には反射ミラー（３）が配設され、可動測長点部（１４）にはハーフミラー（４）が配設されている。この関係とは逆にして、たとえば図１の例において可動測長点部（１４）を把持部（１２）との距離一定に固定し、測長開始点部（１３）をスライド可能とする場合には、可動測長点部に反射ミラーを、測長開始点部にハーフミラーを配設することもできる。
【００１９】
たとえば以上のような構成を持つ光測長具においては、尺物体（１）の把持部（１２）を把持し、ダイヤル操作部（１５）を指で回動させて可動測長点部（１４）を前後にスライド移動させる。測長時には、スイッチ操作部（２１）で光照射ＯＮの操作を行い、光源部（２）よりレーザー、ＬＥＤ等による光を放射させる。放射された光は、その一部がハーフミラー（４）を透過し、反射ミラー（３）で反射されて被測長部（Ａ）の被測長点（Ａ１）を照射する。また、放射された光の一部は、ハーフミラー（４）において反射されて反射ミラー（３）からの照射光（Ｌ１）に平行する照射光（Ｌ２）として被測長点（Ａ２）を照射する。照射光（Ｌ１）（Ｌ２）は平行であるので、目視により被測長点（Ａ１）（Ａ２）の位置が光の照射点として適切であると確認されれば、この被測長点（Ａ１）（Ａ２）間の長さは、尺物体（１）における長さ標示部（１１）により、測長開始点部（１３）と可動測長点部（１４）との間の長さ（Ｌ0）として読み取ることができる。
【００２０】
なお、被測長点（Ａ１）（Ａ２）が位置の光照射点として適切かどうかは上記のように目視により確認するようにしてもよいし、あるいは、尺物体（１）に光ファイバーを配備して、ＣＣＤ等の撮像素子を介してモニターできるようにしてもよい。
【００２１】
反射ミラー（３）とハーフミラー（４）とを使用することで、光源部（２）での光源は一つであってよく、この光源としては、指向性の高いレーザーやＬＥＤあるいはその他であってよい。照射光（Ｌ１）（Ｌ２）が平行であれば、反射ミラー（３）、ハーフミラー（４）の取付け角度等は適宜とすることができる。
【００２２】
もちろん、本発明の光測長具は以上の例示に限定されることはなく、様々な形態として実施されてよいことは言うまでもない。
【図面の簡単な説明】
【００２３】
【図１】本発明の一実施形態を例示した概要図である。
【符号の説明】
【００２４】
１    尺物体
１１    長さ標示部
１２    把持部
１３    測長開始点部
１４    可動測長点部
１５    ダイヤル操作部
２    光源部
２１    スイッチ操作部
３    反射ミラー
４    ハーフミラー
Ａ    被測長部
Ａ１、Ａ２    被測長点
Ｌ１、Ｌ２    照射光
Ｌ0    読み取られた長さ
【図１】
2007206001.tif 000003